(57)【要約】【課題】グラビア輪転印刷機等のインキパンの洗浄作業を、印刷作業とは別の段取りで実施でき、印刷機の停止時間を短縮可能なインキ供給装置を提供する。【解決手段】複数のインキパンの位置を入れ替えるチェーン１９と、チェーン１９とインキ供給位置間のインキパンの移動を行なう昇降機構１５を備え、使用済みのインキパン１１をインキ供給位置からチェーン１９の位置まで移動してから、チェーン１９により、使用済みのインキパン１１と新規のインキパン１７の位置を入れ替え、昇降機構１５により新規のインキパン１７をインキ供給位置に移動する。【選択図】  図１
2005022239.tif 000002
【特許請求の範囲】
【請求項１】
複数のインキパンと、
前記インキパンを移動させる第１の移動機構と、
前記複数のインキパンのうちの１つのインキパンを前記第１の移動機構から離脱させ、インキ供給位置に移動させる第２の移動機構とを有することを特徴とするインキ供給装置。
【請求項２】
前記第１の移動機構は、チェーンであることを特徴とする請求項１に記載のインキ供給装置。
【請求項３】
前記第２の移動機構は、昇降装置であることを特徴とする請求項１に記載のインキ供給装置。
【発明の詳細な説明】
【０００１】
【発明の属する技術分野】
本発明は、グラビア輪転印刷機等にインキを供給するインキ供給装置に関するものである。
【０００２】
【従来の技術】
グラビア輪転印刷機では、印刷する絵柄が変わり、使用するインキを変える場合に、インキパン内のインキを抜き取り、溶剤を用いて版胴とファニッシャーロールのインキを拭き取った後、インキパン内を洗浄する。
【０００３】
この洗浄に時間がかかるため、インキパン内にフィルムシートを敷いて、インキ替えの際にフィルムシートを交換する方法もある。しかし、フィルムシートの交換時にフィルムシートが版胴に接触することにより、版胴にインキが付着する問題があり、フィルムシート交換時にインキパンの位置を昇降装置により下げ、版胴とフィルムシートが接触しないようにするインキパン支持装置が提案されている（特許文献１参照）。
【０００４】
【特許文献１】
特開平６−６４１５２号公報
【０００５】
【発明が解決しようとする課題】
しかしながら、この方法では、フィルムシートを交換する手間と時間がかかり、印刷機を止める時間が長いという問題がある。
【０００６】
本発明は、このような問題を鑑みてなされたもので、その目的とするところは、インキパンの洗浄作業を印刷作業の段取りとは別に行なえ、印刷機の停止時間を短くすることが可能なインキ供給装置を提供することにある。
【０００７】
【課題を解決するための手段】
前述した目的を達成するための第１の発明は、インキ供給装置であって、複数のインキパンと、これらのインキパンを移動させる第１の移動機構と、複数のインキパンのうちの１つのインキパンを第１の移動機構から離脱させ、インキ供給位置に移動させる第２の移動機構とを備えたインキ供給装置である。ここで第１の移動機構は例えばチェーンであり、第２の移動機構は例えば昇降装置である。
【０００８】
本発明では、複数のインキパンが第１の移動機構により所定の位置まで移動される。そして、複数のインキパンのうちの一つのインキパンが第２の移動機構によりインキ供給位置まで移動され、この状態で印刷が行なわれる。他のインキパンは、この状態で取り替えられる。
【０００９】
【発明の実施の形態】
以下、図面に基づいて本発明の実施の形態を詳細に説明する。図１は、本実施の形態に係るインキ供給装置の概略構成図、図２は、図１のインキ供給装置の×−×による断面図、図３は、インキパンとチェーンの取り付け部の斜視図、図４は、インキ供給装置の要部の斜視図である。
【００１０】
グラビア輪転印刷機は、図１に示すようなフレーム１からなる印刷ユニットにより１色ずつ印刷を行なう。すなわち、図１に示す印刷ユニットが４段連続して設置され、それぞれ、Ｃ（シアン）、Ｍ（マゼンダ）、Ｙ（イエロー）、Ｋ（ブラック）で印刷を行なう。
【００１１】
印刷ユニットは、版胴７および圧胴３を有する。フレーム１に軸３１が設けられ、版胴７は軸３１に回転可能に取り付けられる。圧胴３もフレーム１に対して回転可能に支持されている。印刷紙５は、版胴７と圧胴３の間を通るように図示しない搬送装置で搬送され、印刷される。
【００１２】
フレーム１にはファニッシャーロール９が回転可能に設けられる。圧胴３、胴版７、ファニッシャーロール９を回転させる駆動装置は図示していない。フレーム１は第２の移動機構としての昇降機構１５を具備し、昇降機構１５の昇降部３３により、インキパン１１が支持される。インキパン１１にはインキ１３が満たされる。
【００１３】
図４に示すように、昇降部３３はインキパン１１を支持するもので、昇降機構１５によりインキパン１１が垂直方向Ａ１、Ａ２に移動される。
【００１４】
フレーム１には、スプロケット２１、２３、ガイド用スプロケット２５、２７が回転可能に設けられ、スプロケット２１、２３、ガイド用スプロケット２５、２７に、第１の移動機構としてのチェーン１９が巻回される。
【００１５】
図３に示すように、支持台３５の両側には軸受穴を有する支持部３７が設けられ、チェーン１９に取り付けられた軸３６が支持部３７の軸受穴に差し込まれる。図２に示すように、チェーン１９は支持台３５を挟んで２本設けられており、支持台３５は、両側で軸３６により回転可能に支持されている。これにより、楕円形状を成すチェーン１９のどの位置に支持台３５があっても支持台３５の水平が保たれる。
【００１６】
また、もう一つの支持台３９も、支持台３５と同様である。すなわち、支持台３９の両側に設けられた支持部４１の軸受穴に、チェーンに取り付けられた軸４０が差し込まれ、支持台３９は両側の軸４０の回りに回転可能に支持される。支持台３９はこれにより常に水平が保たれる。
【００１７】
インキパン１１および１７の材質は、特に限定するものではなく、例えば、金属製、あるいは樹脂成型によるもの等である。また、昇降装置１５およびチェーン１９、スプロケット２１、２３、ガイド用スプロケット２５、２７、支持台３５、３９、接続部３７、４１の材質も特に限定するものではない。
【００１８】
次に、このインキ供給装置の動作について説明する。印刷時には、印刷に使用するインキパン１１は、昇降部３３により支持され、昇降機構１５の高位に位置する。インキパン１１にはインキ１３が入れられており、ファニッシャーロール９が、その一部をインキ１３に浸漬しながら回転し、インキ１３版胴７にを付着させ、版胴７と圧胴３間を走行する印刷紙５への印刷を行なう。
【００１９】
また、印刷時には、支持台３５が楕円形状を成すチェーン１９の最上部に、支持台３９が最下部に位置するようにする。支持台３９には次の印刷に使用するインキを入れたインキパン１７を設置する。
【００２０】
印刷が終了し、インキを交換する場合には、まず、版胴７、圧胴３およびファニッシャーロール９の回転を停止したうえ、昇降機構１５により、昇降部３３を下げ、昇降部３３により支持されているインキパン１１を矢印Ａ１の方向に下降させる。インキパン１１がインキパン１１ａの位置まで下降すると、その下方にある支持台３５に乗る。
【００２１】
その後、スプロケット２１および２３を回転させることにより、チェーン１９が回転する。この回転により、支持台３５上のインキパン１１ａは矢印Ｂの方向に移動し最下部に至る（その間、インキパン１１ｂの位置を通過する）。一方、支持台３９上のインキパン１７は矢印Ｂの方向に移動し最上部に至る（その間、インキパン１７ａの位置を通過する）。
【００２２】
インキパン１７が楕円形状のチェーンの最上部まで来たら、昇降部３３によりインキパン１７を支持し、昇降機構１５により、インキパン１７をインキを供給する所定の位置まで上昇させる。これにより、新規のインキパン１７がグラビア輪転機に設置され、新たに印刷を開始することが可能になる。
【００２３】
新規のインキパン１７は、インキパン１１による印刷中に、チェーン１９の最下部に位置する支持台３９に設置すればよく、インキパン１１とインキパン１７の位置を、昇降機構１５およびチェーン１９により交換するだけで、新たなインキパン１７を輪転機の所定の位置に設置することができ、インキの交換にかかる時間が短縮される。
【００２４】
また、使用済みのインキパン１１は、新規のインキパン１７による印刷処理が開始された後にチェーン１９の最下部に位置する支持台３５から取り外して洗浄すればよく、インキパンの洗浄作業を印刷作業とは別の段取りで実施することが可能になる。
【００２５】
このように、本実施の形態によれば、新規のインキパン１７の準備と使用済みのインキパン１１の洗浄を印刷作業とは別の段取りで実施でき、また、印刷機の停止は、それらのインキパンの位置を入れ替えるときだけでよい。
【００２６】
尚、本発明は、前述した実施の形態に限定されるものではなく、種々の改変が可能であり、それらも、本発明の技術範囲に含まれる。例えば、第１の移動機構としては、チェーン以外のベルト等を用いてもよい。また、第２の移動機構としても、前述した実施の形態に示したものに限定されず、インキパン１１を昇降させるものであればよい。
【００２７】
【発明の効果】
以上、詳細に説明したように本発明によれば、インキパンの洗浄作業を印刷作業の段取りとは別に行なえ、印刷機の停止時間を短くすることが可能なインキ供給装置を提供することができる。
【図面の簡単な説明】
【図１】本実施の形態に係るインキ供給装置の概略構成図
【図２】インキ供給装置を示す図
【図３】インキパンとチェーンの取り付け部の斜視図
【図４】インキ供給装置の要部の斜視図
【符号の説明】
１………フレーム
９………ファニッシャーロール
１１、１７………インキパン
１５………昇降機構
１９………チェーン
２１、２３………スプロケット
２５、２７………ガイド用スプロケット
３３………昇降部
３５、３９………支持台
３７、４１………支持部
３６、４０………軸
【図１】
2005022239.tif 000003
【図２】
2005022239.tif 000004
【図３】
2005022239.tif 000005
【図４】
2005022239.tif 000006